(57)【特許請求の範囲】
【請求項１】
電力供給装置から供給される直流電力を交流電力に変換して交流電力系統に連系させるパワーコンディショナと、
前記交流電力系統と前記パワーコンディショナとを繋ぐ電路の交流電力を計測する計測部、及び前記計測部を動作させるために必要な直流電力を当該計測部に与える電源部を有し、前記パワーコンディショナとは別体で設けられる計測装置と、を備え、
前記パワーコンディショナは、当該パワーコンディショナを制御するために必要な直流電力を出力する制御電源部を備え、
前記制御電源部は、前記パワーコンディショナ及び前記電源部に直流電力を供給し、
前記電源部は、前記制御電源部が出力する直流電力を取得して前記計測部を動作させるために必要な直流電力を生成する電力供給システム。
【請求項２】
前記計測装置は、前記計測部が計測した計測情報を無線送信する無線通信部をさらに備えている請求項１に記載の電力供給システム。
【請求項３】
前記パワーコンディショナを制御するための制御命令を受け付け、受け付けた制御命令を前記無線通信部に向けて無線送信する制御命令送信装置をさらに備え、
前記計測装置は、前記無線通信部が受信した前記制御命令送信装置からの前記制御命令に基づいて前記パワーコンディショナを制御する制御部を備えている請求項２に記載の電力供給システム。
【請求項４】
前記制御部と、前記パワーコンディショナとは、有線通信又は無線通信によって接続され、
前記制御部は、前記パワーコンディショナを制御するための命令を前記有線通信又は前記無線通信によって送信する請求項３に記載の電力供給システム。
【請求項５】
前記制御部は、計時可能な計時部を備え、この計時部が計時する時刻に基づいて前記パワーコンディショナを制御する請求項３又は請求項４に記載の電力供給システム。
【請求項６】
前記パワーコンディショナには、前記電力供給装置からの直流電力を蓄電する蓄電池が接続され、前記蓄電池に蓄電した直流電力を前記制御電源部に与えることで前記パワーコンディショナを制御するために必要な直流電力を前記制御電源部に出力させる請求項１から請求項５のいずれか一項に記載の電力供給システム。
【請求項７】
前記電力供給装置は、太陽光発電パネルである請求項１から請求項６のいずれか一項に記載の電力供給システム。
【発明の詳細な説明】
【技術分野】
【０００１】
本発明は、太陽光発電パネル等から供給される電力を系統連系させるパワーコンディショナを備えた電力供給システムに関するものである。
【背景技術】
【０００２】
近年、太陽光発電パネル等による自家発電設備と、商用の交流電力系統とを連系させ、電力供給を行う電力供給システムが普及しつつある。
このようなシステムにおいて、交流電力系統からの供給電力や、売電された電力等といったシステムによる電力の需給状況を把握し表示するための計測装置が設けられることがある（例えば、特許文献１参照）。
【０００３】
図３は、上記計測装置が設けられた発電システムの一例を示す図である。この発電システムは、太陽光発電パネルを用いた太陽光発電システムであり、太陽光発電パネル１００と、太陽光発電パネル１００から供給される直流電力を交流電力に変換し交流電力系統１０１に連系させるパワーコンディショナ（ＰＣＳ：Ｐｏｗｅｒ  Ｃｏｎｄｉｔｉｏｎｉｎｇ  Ｓｙｓｔｅｍ）１０２と、交流電力系統１０１とＰＣＳ１０２とを繋ぐ電路１０３の電力を計測し表示する計測装置１０４とを備えている。
【０００４】
計測装置１０４は、負荷１０５とともに電路１０３に接続されている。計測装置１０４は、電路１０３に接続された計測用電路１０６を介して電路１０３に接続されており、この計測用電路１０６を通じて電力を計測する。
【先行技術文献】
【特許文献】
【０００５】
【特許文献１】特開２０００−２６６７８９号公報
【発明の概要】
【発明が解決しようとする課題】
【０００６】
上記計測装置１０４は、電路１０３の電力の計測を実行したり、計測結果を表示したりするための動作電力（直流電力）を必要とする。
【０００７】
ここで、計測装置１０４は、交流系統１０１に繋がっている電路１０３に接続されているため、交流電力系統１０１から計測装置１０４の動作に必要な電力を取得するように構成することが考えられる。
特に、発電システムに対して計測装置１０４を追加的に接続、設置する場合、電力を測定するために電路１０３と計測装置１０４とを繋いでいる計測用電路１０６を通じて計測装置１０４の動作に必要な電力を取得するように構成することが考えられる。
この場合、計測装置１０４の動作に必要な電力を供給するための電路を新たに設ける必要がなく、計測装置１０４を容易に接続、設置できる点で有利である。
【０００８】
しかし、この場合、交流電力を直流電力に変換するコンバータを計測装置１０４に設ける必要がある上、計測用電路１０６において電圧降下が生じ、計測電力に誤差を生じさせるおそれがあり、コスト増加や計測精度の低下といった問題があった。
【０００９】
本発明はこのような事情に鑑みてなされたものであり、低コストかつ高精度で電力計測を行うことができる電力供給システムを提供することを目的とする。
【課題を解決するための手段】
【００１０】
本発明の実施形態に係る電力供給システムは、電力供給装置から供給される直流電力を交流電力に変換して交流電力系統に連系させるパワーコンディショナと、前記交流電力系統と前記パワーコンディショナとを繋ぐ電路の電力を計測する計測部、及び前記計測部を動作させるために必要な電力を当該計測部に与える電源部を有する計測装置と、を備え、前記パワーコンディショナは、当該パワーコンディショナを制御するために必要な直流電力を出力する制御電源部を備え、前記電源部は、前記制御電源部が出力する直流電力を取得して前記計測部を動作させるために必要な電力を生成する。
【発明の効果】
【００１１】
本発明によれば、低コストかつ高精度で電力計測を行うことができる。
【図面の簡単な説明】
【００１２】
【図１】太陽光発電システムの全体構成を示す図である。
【図２】太陽光発電システムの各部に対する電力供給の態様を示す図である。
【図３】計測装置が設けられた発電システムの一例を示す図である。
【発明を実施するための形態】
【００１３】
［本願発明の実施形態の説明］
最初に本願発明の実施形態の内容を列記して説明する。
なお、以下に記載する実施形態の少なくとも一部を任意に組み合わせてもよい。
（１）本発明の実施形態に係る電力供給システムは、電力供給装置から供給される直流電力を交流電力に変換して交流電力系統に連系させるパワーコンディショナと、前記交流電力系統と前記パワーコンディショナとを繋ぐ電路の電力を計測する計測部、及び前記計測部を動作させるために必要な電力を当該計測部に与える電源部を有する計測装置と、を備え、前記パワーコンディショナは、当該パワーコンディショナを制御するために必要な直流電力を出力する制御電源部を備え、前記電源部は、前記制御電源部が出力する直流電力を取得して前記計測部を動作させるために必要な電力を生成する。
【００１４】
上記構成の電力供給システムによれば、電源部は、制御電源部が出力する直流電力を取得して計測部を動作させるために必要な電力を生成するので、例えば、交流電力系統からの電力を計測装置に供給するように構成した場合のように、計測装置が交流を直流に変換するコンバータを備える必要がない。このため、交流電力系統からの電力を計測装置に供給するように構成した場合と比較して低コスト化が可能となる。
また、パワーコンディショナの制御電源部から直流電力を取得するので、例えば、電圧を計測するために前記電路と計測装置とを繋いでいる電路を利用して電力を取得した場合のように、計測装置に必要な電力の取得が計測部による交流系統の電力計測に影響を与えることがなく、電力計測の精度を低下させることがない。
以上のように、上記電力供給システムによれば、低コストかつ高精度で電力計測を行うことができる。
【００１５】
（２）上記電力供給システムにおいて、前記計測装置は、前記計測部が計測した計測情報を無線送信する無線通信部をさらに備えていることが好ましい。
この場合、携帯端末等の外部の通信機器に計測情報を無線送信し、この通信機器に計測情報を出力させることができる。
【００１６】
（３）上記電力供給システムにおいて、前記パワーコンディショナを制御するための制御命令を受け付け、受け付けた制御命令を前記無線通信部に向けて無線送信する制御命令送信装置をさらに備えている場合、前記計測装置は、前記無線通信部が受信した制御命令送信装置からの前記制御命令に基づいて前記パワーコンディショナを制御する制御部を備えていることが好ましい。
この場合、計測装置との間で無線通信可能な制御命令送信装置によって制御命令を受け付け、受け付けた制御命令に基づいてパワーコンディショナを制御することができるので、本システムの操作の利便性が向上する。
【００１７】
（４）また、上記電力供給システムにおいて、前記制御部と、前記パワーコンディショナとは、有線通信又は無線通信によって接続されている場合、前記制御部は、前記パワーコンディショナを制御するための命令を前記有線通信又は前記無線通信によって送信することができる。
これにより、制御部は、パワーコンディショナを制御するための命令を当該パワーコンディショナに確実に与えることができる。
【００１８】
（５）前記制御部は、計時可能な計時部を備え、この計時部が計時する時刻に基づいて前記パワーコンディショナを制御するように構成することもできる。
この場合、制御部は、計時部が計時する時刻に基づいてスケジュール運転を行うことができる。
【００１９】
（６）また、上記電力供給システムにおいて、前記パワーコンディショナに、前記電力供給装置からの直流電力を蓄電する蓄電池が接続されている場合、前記蓄電池に蓄電した直流電力を前記制御電源部に与えることで前記パワーコンディショナを制御するために必要な直流電力を前記制御電源部に出力させるように構成することができる。
この場合、電力供給装置から電力が供給されない状態であったとしても、蓄電池に蓄電された直流電力によって制御電源部は直流電力を出力することができるので、計測装置の電源部は直流電力を取得することができる。これにより、計測装置は、電力供給装置から電力が供給されない時間であっても計測部を動作させるために必要な電力を生成することができ、電力計測を行うことができる。
【００２０】
（７）前記電力供給装置は、太陽光発電パネルであることが好ましい。この場合、安定した直流電力の供給を確保することができる。
【００２１】
［本願発明の実施形態の詳細］
以下、好ましい実施形態について図面を参照しつつ説明する。
〔１．太陽光発電システムの機能的構成〕
図１は、太陽光発電システムの全体構成を示す図である。この太陽光発電システム１は、太陽光発電パネル２と、この太陽光発電パネル２が接続されているパワーコンディショナ３と、計測装置４と、計測装置４と通信可能な端末装置５とを備えている。
【００２２】
太陽光発電パネル２は、例えば、建物の屋根面等に固定された状態で設置され、太陽光を受光することで発電する。太陽光発電パネル２は、パワーコンディショナ３（以下、ＰＣＳ３ともいう）に接続されており、発電した直流電力をＰＣＳ３に対して出力する。
ＰＣＳ３は、交流電力が供給される商用電力系統（交流電力系統）６に接続されており、太陽光発電パネル２が出力する直流電力を交流電力に変換した上で、変換した交流電力を商用電力系統６に連系させる連系運転を行う機能を有している。
ＰＣＳ３には、蓄電池７が接続されている。この蓄電池７には、ＰＣＳ３が発電した直流電力の内の余剰電力が蓄電される。
【００２３】
商用電力系統６と、ＰＣＳ３とは、電路８によって繋がれている。電路８には、分電盤９と、負荷１０とが接続されている。
負荷１０は、例えば、太陽光発電システム１及び商用電力系統６から交流電力の供給を受ける機器等によって構成されている。
つまり、太陽光発電システム１は、電力供給装置としての太陽光発電パネル２から供給される直流電力を系統連系しつつ負荷１０に供給する電力供給システムを構成している。
分電盤９は、当該分電盤９から延びる計測用電路１１によって計測装置４に接続されている。
【００２４】
計測装置４は、商用電力系統６と、ＰＣＳ３とを繋いでいる電路８の電力を計測するように構成されており、計測回路１５と、制御部１６と、無線通信部１７と、電源部１８とを備えている。
【００２５】
計測回路１５は、電路８に設けられた分電盤９から延びる計測用電路１１を介して電路８に接続されている。
計測用電路１１は、電路８の電流を測定するための第１計測用電路１１ａと、電路８の電圧を測定するための第２計測用電路１１ｂとを含んでいる。
【００２６】
分電盤９の内部には、電路８を流れる電流を計測するための電流センサ９ａが設けられている。電流センサ９ａは、例えば、ＣＴ（Ｃｕｒｒｅｎｔ  Ｔｒａｎｓｆｏｒｍｅｒ）等により構成されており、第１計測用電路１１ａを介して計測回路１５に接続されており、計測した電流値を示す出力を計測回路１５に与える。
また、第２計測用電路１１ｂは、分電盤９内部において、一端部が電路８に接続されており、他端部が計測回路１５に接続されている。
【００２７】
計測回路１５は、第２計測用電路１１ｂにおける電圧を計測する電圧センサとしての機能を有している。計測回路１５は、第２計測用電路１１ｂを通じて電路８の電圧を計測する。
計測回路１５は、計測した電路８の電圧値を示す出力、及び第１計測用電路１１ａを介して与えられる電路８の電流値を示す出力を制御部１６に与える。
【００２８】
計測回路１５は、電圧値を示す出力及び電流値を示す出力を随時制御部１６に与える。
このように計測回路１５及び電流センサ９ａは、電路８の電圧及び電流を計測する機能を有しており、電路８の電力を計測する計測部１９を構成している。
なお、計測回路１５による電路８の電流値を示す出力は、電流値の他、電流センサ９ａが設けられている電路８での位置の電流の流れる方向も示している。よって、計測回路１５による電路８の電流値を示す出力は、商用電力系統６からの電力がどの程度負荷１０に供給されているのか、ＰＣＳ３からの電力がどの程度商用電力系統６側に流れて売電されているのか、といった情報を含んでいる。
【００２９】
無線通信部１７は、無線ＬＡＮ等の無線通信によって他の機器との間で無線通信を行う機能を有している。
例えば、無線通信部１７は、図に示すように、無線ルータ２０等を介して端末装置５との間で、無線ＬＡＮによる通信を確立する機能を有している。
【００３０】
制御部１６は、プロセッサやＲＯＭ、ＲＡＭ等や、記憶部とを備えたマイコン等によって構成されている。記憶部には、制御部１６が有する機能を実現するための各種コンピュータプログラムが記憶されている。制御部１６は、これらコンピュータプログラムを実行することで、必要な機能や、後述する各機能部を実現する。
【００３１】
制御部１６は、計測処理部１６ａと、通信処理部１６ｂと、ＰＣＳ制御部１６ｃと、計時部１６ｄとを機能的に有している。
計測処理部１６ａは、計測回路１５から与えられる電圧値を示す出力及び電流値を示す出力を収集し、これら出力に基づいて電路８の電流値及び電圧値を求める機能を有している。
計測処理部１６ａは、一定期間ごとに計測回路１５から与えられる電圧値を示す出力及び電流値を示す出力を取得し、電路８の電流値及び電圧値を求める。よって、計測処理部１６ａは、離散的に電路８の電流値及び電圧値を求める。
【００３２】
また、計測処理部１６ａは、求めた電路８の電流値及び電圧値に基づいて、商用電力系統６から供給された供給電力や、ＰＣＳ３が出力した電力の内、商用電力系統６側に流れて売電された電力といった値を求める機能を有している。
【００３３】
通信処理部１６ｂは、無線通信部１７を制御する機能を有するとともに、計測処理部１６ａが求めた各値や、その他各種情報を無線通信部１７を用いた無線通信によって送受信するための機能を有している。
通信処理部１６ｂは、計測処理部１６ａが求めた、電路８の電流値及び電圧値や、商用電力系統６からの供給電力、商用電力系統６側に売電された電力といった計測情報を端末装置５に向けて無線送信する。
また、通信処理部１６ｂは、ＰＣＳ制御部１６ｃが取得した蓄電池７やＰＣＳ３の動作状態を示す機器情報（後に説明する）を端末装置５に向けて無線送信する。
【００３４】
無線通信部１７は、計測情報及び機器情報を端末装置５に向けて送信する。計測情報及び機器情報を受信した端末装置５は、当該端末装置５の画面５ａに計測情報及び機器情報を表示する。
このように、本システム１の計測装置４は、計測回路１５が求めた計測情報及び機器情報を無線送信する無線通信部１７を備えているので、端末装置５等の通信機器に計測情報及び機器情報を無線送信し、この通信機器に計測情報及び機器情報を出力させることができる。この結果、システム１を使用する使用者は、通信機器を携帯していれば任意の場所で計測情報及び機器情報を確認することができ、利便性が向上する。
【００３５】
ＰＣＳ制御部１６ｃは、ＰＣＳ３を制御するための制御命令が与えられると、与えられた制御命令に基づいてＰＣＳ３を制御する機能を有している。
また、ＰＣＳ制御部１６ｃは、蓄電池７やＰＣＳ３の動作状態を示す機器情報をＰＣＳ３から取得する機能を有している。
【００３６】
制御部１６と、ＰＣＳ３とは、通信ケーブル１４によって有線で接続されており、有線通信が可能とされている。ＰＣＳ制御部１６ｃは、通信ケーブル１４を通じた有線通信によってＰＣＳ３を制御するための命令をＰＣＳ３に与えるとともに、機器情報をＰＣＳ３から取得する。これにより、ＰＣＳ制御部１６ｃは、ＰＣＳ３を制御するための命令を当該ＰＣＳ３に確実に与えることができる。
【００３７】
なお、本実施形態では、制御部１６とＰＣＳ３とが通信ケーブル１４によって有線通信する場合を示したが、例えば、ＰＣＳ３が無線ＬＡＮ等の無線通信機能を有している場合には、制御部１６は、無線通信部１７を用いてＰＣＳ３と無線通信を行い、ＰＣＳ３を制御するための命令や、機器情報の授受を行うことができる。
【００３８】
ＰＣＳ３を制御するための制御命令は、無線通信部１７を介して端末装置５からＰＣＳ制御部１６ｃに与えられる。
【００３９】
端末装置５は、画面５ａによって前記使用者による入力操作を受け付けることができるように構成されている。
端末装置５は、前記使用者による画面５ａに対する入力操作によって制御命令を受け付けると、受け付けた制御命令を計測装置４の無線通信部１７に向けて無線送信する。
無線通信部１７は、端末装置５から無線送信された制御命令を受信すると、この制御命令をＰＣＳ制御部１６ｃに与える。
ＰＣＳ制御部１６ｃは、与えられた制御命令に基づいて、ＰＣＳ３を制御するための命令を有線通信によってＰＣＳ３に向けて出力する。
ＰＣＳ制御部１６ｃから命令が与えられたＰＣＳ３は、その命令に従った運転を実行する。
【００４０】
計時部１６ｄは、例えば、制御部１６を構成しているマイコンが備えているＲＴＣ（Ｒｅａｌ  Ｔｉｍｅ  Ｃｌｏｃｋ）等からなり、時刻情報を計時して他の機能部に与える機能を有している。
ＰＣＳ制御部１６ｃは、計時部１６ｄが計時した時刻情報を取得し、この時刻情報に基づいてスケジュール運転を行う機能を有している。
ＰＣＳ制御部１６ｃは、端末装置５から与えられた制御命令に含めて与えられるスケジュール運転に関する情報を取得し、このスケジュール運転に関する情報に従い、前記時刻情報を参照しつつスケジュール運転を行う。
【００４１】
このように、本システム１では、計測装置４との間で無線通信可能な制御命令送信装置としての端末装置５によって制御命令を受け付け、受け付けた制御命令に基づいてＰＣＳ３を制御することができるので、本システム１の操作の利便性をより向上させることができる。
また、本システム１は、制御部１６が計時部１６ｄを備えているので、ＰＣＳ制御部１６ｃは、計時部１６ｄから与えられる時刻情報に基づいてスケジュール運転を行うことができ、さらに利便性を向上させることができる。
【００４２】
電源部１８は、計測回路１５や、制御部１６等、計測装置４が備える各部を動作させるために必要な電力を当該各部に与える機能を有している。
電源部１８は、各部を動作させるために必要な電力を生成するために、ＰＣＳ３が出力する直流電力を取得するように構成されている。
【００４３】
〔２．太陽光発電システムの各部に対する電力供給の態様〕
図２は、太陽光発電システムの各部に対する電力供給の態様を示す図である。
図中、ＰＣＳ３は、太陽光発電パネル２が出力する直流電力の電圧を所定の電圧に変換するためのＤＣ／ＤＣコンバータ２１と、蓄電池７が出力する直流電力の電圧を所定の電圧に変換するためのＤＣ／ＤＣコンバータ２２と、ＤＣ／ＤＣコンバータ２１、２２が出力する直流電力を交流電力に変換するインバータ２３とを備えている。
ＰＣＳ３は、ＤＣ／ＤＣコンバータ２１、２２、及びインバータ２３によって太陽光発電パネル２が出力する直流電力を交流電力に変換し、交流電力を出力するとともに、電路８を介して商用電力系統６に連系させる。
【００４４】
蓄電池７は、上述したように、ＰＣＳ３が発電した直流電力の内の余剰電力を蓄電することができる。
ＰＣＳ３は、商用電力系統６の電力供給状況、及び太陽光発電パネル２による発電状況に応じてＤＣ／ＤＣコンバータ２２を制御し、蓄電池７に余剰電力を蓄電するとともに、蓄電池７に蓄電された余剰電力を電路２５に供給する。
【００４５】
これによって、例えば、時間帯が夜である等、太陽光が十分に得られないことから太陽光発電パネル２の出力が得られずＤＣ／ＤＣコンバータ２１が出力する直流電力の供給を受けることができない状態であってかつ、商用電力系統６が停電である場合であっても、ＰＣＳ３は、蓄電池７に蓄電された直流電力をインバータ２３に与えて交流電力に変換し、変換した交流電力を電路８に向けて出力することができ、負荷１０に交流電力を供給することができる。
【００４６】
また、ＰＣＳ３は、ＤＣ／ＤＣコンバータ２１、２２、及びインバータ２３が有するスイッチング素子等の制御や、その他ＰＣＳ３としての動作に必要な直流電力を出力する制御電源部２４を備えている。
制御電源部２４には、ＤＣ／ＤＣコンバータ２１、２２と、インバータ２３とを繋ぐ電路２５から分岐された電路２６が接続されている。電路２６には、逆潮流を防止するダイオード２６ａが接続されている。
制御電源部２４は、この電路２６を通じてＤＣ／ＤＣコンバータ２１、２２が出力する直流電力の供給を受け、供給された直流電力を所定の電圧に変換して、ＰＣＳ３としての動作に必要な直流電力を出力する。
【００４７】
また、制御電源部２４には、当該制御電源部２４と、インバータ２３の出力側であって商用電力系統６に連系する電路８側とを繋いでいる電路２７も接続されている。電路２７には、インバータ２３が出力する交流電力を直流電力に変換するための整流器２７ａと、逆潮流を防止するダイオード２７ｂとが接続されている。
制御電源部２４は、ＤＣ／ＤＣコンバータ２１、２２によって直流電力が出力されていないときは、この電路２７を通じて商用電力系統６側から電力の供給を受け、ＰＣＳ３としての動作に必要な直流電力を出力する。
【００４８】
よって、制御電源部２４は、例えば、時間帯が夜である等、太陽光が十分に得られないことから太陽光発電パネル２の出力が得られず、ＤＣ／ＤＣコンバータ２１が出力する直流電力の供給を受けることができないときは、電路２７を通じて商用電力系統６側から電力の供給を受け、ＰＣＳ３としての動作に必要な直流電力を出力する。
【００４９】
さらに、ＤＣ／ＤＣコンバータ２１が出力する直流電力の供給を受けることができない状態でかつ、商用電力系統６が停電であることによって電路２７を通じて電力を得ることができない場合、ＰＣＳ３は、上述のように、蓄電池７に蓄電された直流電力をインバータ２３に与えることができる。
よって、この場合、制御電源部２４は、蓄電池７に蓄電された直流電力の供給を受け、ＰＣＳ３としての動作に必要な直流電力を出力することができる。
【００５０】
計測装置４の電源部１８には、制御電源部２４から延びている電路３０が接続されている。
電源部１８は、電路３０を通じてＰＣＳ３の制御電源部２４が出力する直流電力を取得する。
電源部１８は、制御電源部２４が出力する直流電力を取得し、計測回路１５等を動作させるために必要な直流電力を生成する。電源部１８は、生成した直流電力を計測回路１５や、制御部１６、無線通信部１７等、計測装置４が備える各部に与える。
【００５１】
本システムによれば、計測装置４の電源部１８は、制御電源部２４が出力する直流電力を取得して計測回路１５等を動作させるために必要な電力を生成するので、例えば、商用電力系統６からの電力を計測装置４に供給するように構成した場合のように、計測装置４が交流を直流に変換するＡＣ／ＤＣコンバータを備える必要がない。このため、商用電力系統６からの電力を計測装置４に供給するように構成した場合と比較して低コスト化が可能となる。
【００５２】
また、ＰＣＳ３の制御電源部２４から直流電力を取得するので、例えば、電圧を計測するために電路８と計測装置４とを繋いでいる電路（第２計測用電路１１ｂ）を利用して電力を取得した場合のように、計測装置４に必要な電力の取得が計測回路１５による交流系統の電力計測に影響を与えることがなく、電力計測の精度を低下させることがない。
以上のように、本システム１によれば、低コストかつ高精度で電力計測を行うことができる。
【００５３】
また、本実施形態では、ＰＣＳ３が、太陽光発電パネル２が出力する直流電力を蓄電する蓄電池７を備えており、蓄電池７に蓄電した直流電力を制御電源部２４に与えることでＰＣＳ３を制御するために必要な直流電力を制御電源部２４に出力させるように構成されているので、太陽光発電パネル２が発電をしていない状態であってかつ、商用電力系統６が停電であることによって電路２７を通じて電力を得ることができない場合であったとしても、蓄電池７に蓄電された直流電力によって制御電源部２４は直流電力を出力することができ、計測装置４の電源部１８は直流電力を取得することができる。これにより、計測装置４は、太陽光発電パネル２が発電をしていない時間であっても計測回路１５を動作させるために必要な電力を生成することができ、電力計測を行うことができる。
【００５４】
本実施形態の計測装置４の制御部１６（のＰＣＳ制御部１６ｃ）は、計測回路１５による計測結果に基づいて、ＰＣＳ３が行う蓄電池７の充放電を制御することができる。
例えば、計測装置４の制御部１６は、計測結果から商用電力系統６からの電力が無いと判断できる場合には、蓄電池７の充電を行うことなく、太陽光発電パネル２による電力を全て電路８に出力するようにさせたり、太陽光発電パネル２による電力に余裕があると判断できる場合には、蓄電池７に充電させるようにさせたり、といったようにＰＣＳ３を制御することができる。
【００５５】
このように、計測回路１５が計測する電路８の電力に応じて、ＰＣＳ３による蓄電池７の充放電の制御を制御部１６が行うことで、適切にＰＣＳ３の出力を制御しつつ、制御電源部２４に直流電力を確実に出力させ、計測回路１５等を動作させるために必要な電力を生成するための直流電力を安定的に確保することができる。
【００５６】
また、上記実施形態では、無線通信部１７が端末装置５との間で無線ＬＡＮによる通信を行う場合を例示したが、例えば、携帯電話等による無線通信や、光通信等、他の無線通信を採用することができる。
【００５７】
また、上記実施形態では、太陽光発電パネル２を直流電力の供給源である電力供給装置として用いたシステムを例示したが、内燃機関等の回転力を利用した発電機や、燃料電池等、太陽光発電パネル以外の発電装置を電力供給装置として用いてもよいし、蓄電池を搭載した電気自動車や、蓄電池を電力供給装置として用いてもよい。
【００５８】
〔３．その他〕
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００５９】
１  太陽光発電システム（電力供給システム）
２  太陽光発電パネル（電力供給装置）
３  ＰＣＳ
４  計測装置
５  端末装置
５ａ  画面
６  商用電力系統
７  蓄電池
８  電路
９  分電盤
９ａ  電流センサ
１０  負荷
１１  計測用電路
１１ａ  第１計測用電路
１１ｂ  第２計測用電路
１５  計測回路
１６  制御部
１６ａ  計測処理部
１６ｂ  通信処理部
１６ｃ  制御部
１６ｄ  計時部
１７  無線通信部
１８  電源部
１９  計測部
２０  無線ルータ
２１  ＤＣ／ＤＣコンバータ
２２  ＤＣ／ＤＣコンバータ
２３  インバータ
２４  制御電源部
２５  電路
２６  電路
２６ａ  ダイオード
２７  電路
２７ａ  整流器
２７ｂ  ダイオード
３０  電路
【図１】
0006520030.tif 000002
【図２】
0006520030.tif 000003
【図３】
0006520030.tif 000004